(57)【要約】【課題】左右横長の角形ハンドホール用鉄蓋３の開閉時に、ハンドホール１上にこれを跨ぐ状態で設置して、ハンドホール用鉄蓋３がハンドホール内に落下するのを防止する落下防止具において、軽量化を図り、作業性に優れたものを得る。【解決手段】左右横長の長方形に形成されたプラスチック製の格子枠５を有する。格子枠５の前後に金属製のベアリングバー６を取り付ける。ハンドホール１上において格子枠５が左右方向へ位置ずれするのを規制するために、格子枠５の裏面の中央部左右にストッパー７・７を取り付ける。ハンドホール１上において格子枠５が前後方向へ位置ずれするのを規制するために、格子枠５の裏面の左右端部に滑り止め部材９を取り付ける。格子枠５の左右端に把手１０を取り付ける。【選択図】図２
0003105760.tif 000002
【実用新案登録請求の範囲】
【請求項１】
左右横長の角形ハンドホール用鉄蓋３の開閉時に、ハンドホール１の開口上面１ａにこれを跨ぐ状態で設置して、ハンドホール用鉄蓋３がハンドホール１内に落下するのを防止する落下防止具であって、
ハンドホール用鉄蓋３の前後幅寸法よりも大きい左右長さを持ち、左右横長の長方形に形成された格子状のプラスチック製格子枠５と、
格子枠５の前後に設けられてハンドホール用鉄蓋３の荷重を受ける金属製のベアリングバー６とを含むハンドホール用鉄蓋の落下防止具。
【請求項２】
左右横長の角形ハンドホール用鉄蓋３の開閉時に、ハンドホール１の開口上面１ａにこれを跨ぐ状態で設置して、ハンドホール用鉄蓋３がハンドホール１内に落下するのを防止する落下防止具であって、
ハンドホール用鉄蓋３の前後幅寸法よりも大きい左右長さを持ち、左右横長の長方形に形成された格子状のプラスチック製格子枠５と、
格子枠５の前後に取り付けられてハンドホール用鉄蓋３の荷重を受ける金属製のベアリングバー６と、
格子枠５の裏面の中央部左右に設けられて、ハンドホール１の開口上面１ａにおいて格子枠５が左右方向へ位置ずれするのを規制する第１の位置決め手段と、
格子枠５の裏面の左右端部に設けられて、ハンドホール１の開口上面１ａにおいて格子枠５が前後方向への位置ずれするのを規制する第２の位置決め手段と、
格子枠５の左右端の少なくとも一方に設けられた把手１０とを含むハンドホール用鉄蓋の落下防止具。
【請求項３】
左右横長の角形ハンドホール用鉄蓋３の開閉時に、ハンドホール１の開口上面１ａにこれを跨ぐ状態で設置して、ハンドホール用鉄蓋３がハンドホール１内に落下するのを防止する落下防止具であって、
ハンドホール用鉄蓋３の前後幅寸法よりも大きい左右長さを持ち、左右横長の長方形に形成された格子状のプラスチック製格子枠５と、
ハンドホール用鉄蓋３の荷重を受け止めるために、格子枠５の前後に、少なくとも上端が格子枠５の上面と面一状ないしは格子枠５の上面より突出するよう取り付けた左右横長の金属製ベアリングバー６と、
ハンドホール１の開口上面１ａにおいて格子枠５が左右方向へ位置ずれするのを規制するために、格子枠５の裏面の中央部左右にそれぞれ下向きに突出するよう取り付けたストッパー７と、
ハンドホール１の開口上面１ａにおいて格子枠５が前後方向へ位置ずれするのを規制するために、格子枠５の裏面の左右端部にそれぞれ取り付けた滑り止め部材９と、
格子枠５の左右端に取り付けた左右一対の把手１０とを含むハンドホール用鉄蓋の落下防止具。
【請求項４】
格子枠５が、左右方向に走る多数の横バー５ａと、前後方向に走る多数の縦バー５ｂとで格子状に成形されている請求項３記載のハンドホール用鉄蓋の落下防止具。
【請求項５】
格子枠５が、ＦＲＰ製である請求項４記載のハンドホール用鉄蓋の落下防止具。
【請求項６】
各ベアリングバー６は、左右方向に長い縦向きの縦板部６ａと、これの上端から左右方向にわたって水平状に延出する水平板部６ｂとを含むＬ字形の金属板で形成されており、
縦板部６ａが、格子枠５の前後端に位置する横バー５ａの外面にボルト止めされ、このボルト止め状態において水平板部６ｂが格子枠５の上面に位置している請求項４または５記載のハンドホール用鉄蓋の落下防止具。
【請求項７】
各ストッパー７は、前後方向に長い水平状の締結板部７ａと、これの左右方向の外端から前後方向にわたって延びる係止板部７ｂとを含むＬ字形の金属板で形成されており、
格子枠５に各ストッパー７を取り付けるための止め金具１５を有し、
止め金具１５は、ほぼＵ字形の本体部１５ａと、本体部１５ａの前後の上端から外側に折り曲げ連出した係止部１５ｂ・１５ｂとを含み、
格子枠５の前後に隣接する横バー５ａ・５ａの上端に止め金具１５の係止部１５ｂ・１５ｂを掛け止めた状態において、止め金具１５の本体部１５ａの底と各ストッパー７の締結板部７ａとの間に通した止めボルト１６で格子枠５に止め金具１５を介して各ストッパー７が締結されている請求項４または５記載のハンドホール用鉄蓋の落下防止具。
【請求項８】
滑り止め部材９が、ゴム板であって格子枠５の裏面に貼り付けてある請求項３記載のハンドホール用鉄蓋の落下防止具。
【請求項９】
各把手１０が、金属棒材を折り曲げて手掛け部１０ａの前後端に脚部１０ｂ・１０ｂを有する門形に形成されており、
格子枠５の左右端に位置する各縦バー５ｂの前後方向中央部位の外側に、各把手１０が、前後の各脚部１０ｂに設けた雄ねじ２１と、該縦バー５ｂに設けられて脚部１０ｂの挿通を許すボルト挿通孔２２と、前記雄ねじ２１に螺合するナット２３とで締結されている請求項３記載のハンドホール用鉄蓋の落下防止具。
【考案の詳細な説明】
【技術分野】
【０００１】
本考案は、ハンドホールの開口上面を閉じるハンドホール用鉄蓋の落下防止具に関する。
【背景技術】
【０００２】
地下に通信ケーブルなどを通したハンドホールでは、地上の開口上面を角形にしたものがある。その場合、角形のハンドホール用鉄蓋の開閉操作時に、該当の鉄蓋をハンドホール内に不用意に落下させてしまい、通信ケーブルなどに損傷を加えることがある。
【０００３】
かかるハンドホール用鉄蓋の落下防止のために、これを受ける鉄蓋座の内側下方にハンドホール用鉄蓋を受け止める内蓋を設けることが、特許文献１に公知である。しかし、既設のハンドホールでは、今更ながらに落下防止用の内蓋の類を設けられないものもある。
【０００４】
【特許文献１】実公平６−２３１５５号公報（第１図）
【０００５】
そのため、当出願人は、長方形のステンレス製格子枠をつくり、ハンドホール上においてハンドホール用鉄蓋の一端側を少し持ち上げた開き姿勢にした状態で、格子枠をこれがハンドホールの開口上面を跨ぐように置き、不用意にハンドホール用鉄蓋を落としたときでも、格子枠で鉄蓋を受け止めることを試みた。しかし、このステンレス製の格子枠では、重くて取り扱いに難があることを知った。
【考案の開示】
【考案が解決しようとする課題】
【０００６】
そこで本考案の目的は、軽量化を第一義に図り、そのうえで必要かつ十分な構造強度を確保したハンドホール用鉄蓋の落下防止具を提供することにある。
【課題を解決するための手段】
【０００７】
請求項１記載の本考案は、図１に示すごとく、左右横長の角形ハンドホール用鉄蓋３の開閉時に、ハンドホール１の開口上面１ａにこれを跨ぐ状態で設置して、ハンドホール用鉄蓋３がハンドホール１内に落下するのを防止する落下防止具であって、ハンドホール用鉄蓋３の前後幅寸法よりも大きい左右長さを持ち、左右横長の長方形に形成された格子状のプラスチック製格子枠５と、格子枠５の前後に設けられてハンドホール用鉄蓋３の荷重を受ける金属製のベアリングバー６とを含むことを特徴とする。ここでの格子枠５は、全体が熱可塑性樹脂ないし熱硬化性樹脂で成形されたプラスチック成形品を含む。その場合、格子枠５にベアリングバー６が一体にインサート成形されていてもよい。またベアリングバー６は、実施例の縦板部６ａのみであって、その上下端が横バー５ａの上下端と面一状であってもよい。
【０００８】
請求項２記載の本考案は、請求項１記載の落下防止具において、格子枠５の裏面の中央部左右に設けられて、ハンドホール１の開口上面１ａにおいて格子枠５が左右方向へ位置ずれするのを規制する第１の位置決め手段と、格子枠５の裏面の左右端部に設けられて、ハンドホール１の開口上面１ａにおいて格子枠５が前後方向への位置ずれするのを規制する第２の位置決め手段と、格子枠５の左右端の少なくとも一方に設けられた把手１０とを含む。
【０００９】
請求項３記載の本考案に係る落下防止具は、請求項２記載の第１位置決め手段として、図３および図４に示すごとく格子枠５の裏面の中央部左右にそれぞれ下向きに突出するよう取り付けたストッパー７と、請求項２記載の第２位置決め手段として、図２および図３に示すごとく格子枠５の裏面の左右端部にそれぞれ取り付けた滑り止め部材９とを備えている。ここでの滑り止め部材９は、例えば下面がギザギザ状に形成された金属板やプラスチック板でもよい。
【００１０】
請求項４記載の本考案に係る落下防止具は、請求項３記載の格子枠５が、図２に示すごとく左右方向に走る多数の横バー５ａと、前後方向に走る多数の縦バー５ｂとで格子状に成形されている。
【００１１】
請求項５記載の本考案に係る落下防止具は、請求項４記載の格子枠５が、耐荷重性に優れるＦＲＰ製である。
【００１２】
請求項６記載の本考案に係る落下防止具は、請求項４または５記載の各ベアリングバー６が、図１および図４に示すごとく左右方向に長い縦向きの縦板部６ａと、これの上端から左右方向にわたって水平状に延出する水平板部６ｂとを含むＬ字形の金属板で形成されており、縦板部６ａが、格子枠５の前後端に位置する横バー５ａの外面にボルト止めされ、このボルト止め状態において水平板部６ｂが格子枠５の上面に位置している。
【００１３】
請求項７記載の本考案に係る落下防止具は、請求項４または５記載の各ストッパー７が、前後方向に長い水平状の締結板部７ａと、これの左右方向の外端から前後方向にわたって下向きに延びる係止板部７ｂとを含むＬ字形の金属板で形成されている。格子枠５に各ストッパー７を取り付けるための止め金具１５を有し、止め金具１５は、ほぼＵ字形の本体部１５ａと、本体部１５ａの前後の上端から外側に折り曲げ連出した係止部１５ｂ・１５ｂとを含む。そして、格子枠５の前後に隣接する横バー５ａ・５ａの上端に止め金具１５の係止部１５ｂ・１５ｂを掛け止めた状態において、止め金具１５の本体部１５ａの底と各ストッパー７の締結板部７ａとの間に通した止めボルト１６で格子枠５に止め金具１５を介して各ストッパー７が締結されている。この場合の止めボルト１６は、横バー５ａ・５ａ間の上方から止め金具１５ついでストッパー７に挿通し、止めボルト１６の下端にナット２０を螺合する形式でもよい。
【００１４】
請求項８記載の本考案に係る落下防止具は、請求項３記載の滑り止め部材９が、ゴム板であって格子枠５の裏面に貼り付けてある。貼り付け形式は、接着剤で固定してもよいし、焼付けやビス止めでもよい。
【００１５】
請求項９記載の本考案に係る落下防止具は、請求項３記載の各把手１０が、金属棒材を折り曲げて手掛け部１０ａの前後端に脚部１０ｂ・１０ｂを有する門形に形成されており、格子枠５の左右端に位置する各縦バー５ｂの前後方向中央部位の外側に、各把手１０が、前後の各脚部１０ｂに設けた雄ねじ２１と、該縦バー５ｂに設けられて脚部１０ｂの挿通を許すボルト挿通孔２２と、前記雄ねじ２１に螺合するナット２３とで締結されている。
【考案の効果】
【００１６】
請求項１記載の本考案に係る落下防止具によれば、これのほぼ全体がプラスチック製の格子枠５で構成されているので、これが金属製の従来形態に比べて全体重量を大幅に軽減化できる。具体的には、同一形状および同一寸法の落下防止具において、ステンレス製のものが約１２kgであるのに対し、本考案のプラスチック製では約７kgにできた。したがって、落下防止具の持ち運びが楽に行え、ハンドホール１上にハンドホール用鉄蓋３の一端側を持ち上げて、傾斜姿勢にした該鉄蓋３の直下に格子枠５をこれがハンドホール１の開口上面１ａを跨ぐ状態でセットする作業も難なく行え、取り扱い性に優れる。その一方で、金属製のベアリングバー６が格子枠５の前後に取り付けられているので、ハンドホール用鉄蓋３を誤って落としても本案落下防止具で受け止めて強度的に耐えることができ、ハンドホール用鉄蓋３がハンドホール１内にまで落下する事故を確実に防止できる。
【００１７】
請求項２記載の本考案によれば、更に加えて格子枠５をハンドホール１の開口上面１ａに架け渡した状態において、第１の位置決め手段と第２の位置決め手段で格子枠５の全体が左右方向および前後方向に位置ずれするのを規制しているので、ハンドホール用鉄蓋３の開閉作業が安全に行える。更に格子枠５の左右端の少なくとも一方に把手１０を備えているので、この把手１０を持って本案落下防止具の移動ないし作業位置へのセットが手軽に行える。
【００１８】
請求項３記載の本考案によれば、請求項２の第１位置決め手段として、格子枠５の裏面の中央部左右にストッパー７を取り付けてあるので、ハンドホール上端の鉄蓋座２の前後に対向する内縁にストッパー７を係止することにより、格子枠５が左右方向（ハンドホール１の前後方向）に位置ずれするのを確実に規制できる。更に請求項２の第２位置決め手段として、格子枠５の裏面の左右端部に滑り止め部材９を取り付けてあるので、ハンドホールの設置路面の前後に滑り止め部材９・９を接触させることにより、格子枠５が前後方向（ハンドホール１の左右方向）に位置ずれするのも規制でき、より安全に使用できる。
【００１９】
請求項４記載の本考案によれば、請求項３の格子枠５が、左右方向に走る多数の横バー５ａと、前後方向に走る多数の縦バー５ｂとで格子状に形成されているので、乱暴に取り扱っても格子枠５これ自体が縦横のバー部材でしっかりと軽量ながら補強されたものにできる。
【００２０】
請求項５記載の本考案によれば、請求項４の格子枠５をプラスチック材のなかでも特にＦＲＰ製にしたので、ハンドホール用鉄蓋３の荷重によく耐え得るものになる。
【００２１】
請求項６記載の本考案によれば、請求項４また５記載に加えて、格子枠５の前後端に位置する前記横バー５ａの外面にこれの左右方向に添うようベアリングバー６をボルト止めするだけであるから、プラスチック製の格子枠５に金属板製のベアリングバー６を簡単に後付けするだけで足り、本案落下防止具は異材質の組み合わせでありながら容易に製作できる。とくに、格子枠５にベアリングバー６を取り付けた状態において、ベアリングバー６の水平板部６ｂが格子枠５の上面に位置するようにしてあるので、持ち上げたハンドホール用鉄蓋３は格子枠５上に載せたとき水平板部６ｂで部分的に支持することになり、該鉄蓋３の全体を水平方向へ回動操作したり、摺り動かしたりする作業が抵抗なく行える。したがって、作業者は多大な労力を要さずにハンドホール用鉄蓋３を開閉できる。
【００２２】
請求項７記載の本考案によれば、格子枠５の前後に隣接する横バー５ａ・５ａ間に止め金具１５を落とし込んだ状態で掛け止め、各ストッパー７は格子枠５の下面側から止め金具１５の直下に案内し、止めボルト１６をストッパー７の締結板部７ａおよび止め金具１５のＵ字形本体部１５ａの底に通すことにより、プラスチック製の格子枠５にＬ字形の金属板製ストッパー７を簡単にボルト止めして後付けすることができる。しかも、格子枠５の横バー５ａ・５ａ間において止め金具１５は左右方向に移動させて位置調整を行えるので、前記鉄蓋座２の前後の対向縁間の距離が違う場合にも、現場にてこれに対応できるよう左右のストッパー７の位置を微調整できる。
【００２３】
請求項８記載の本考案によれば、滑り止め部材９にゴム板を用いて格子枠５の裏面に貼り付けてあるので、滑り止め部材９の付加で全体重量が大きくアップすることはなく、滑り止め部材９が、図３に示すごとく路面２６に摩擦係合して格子枠５が前後方向（ハンドホールの左右方向）に位置ずれするのを路面２６の凹凸にかかわらず確実に図ることができる。
【００２４】
請求項９記載の本考案によれば、格子枠５の左右端に金属棒材からなる門型の把手１０を簡単に後付けすることができ、把手１０を手にして本案落下防止具を手軽に持ち運びできるので、先の作業位置にセットすることができる。
【実施例】
【００２５】
図１において、符号１は地下に通信ケーブルを通したハンドホールである。ハンドホール１の開口上面１ａは、地上の路面（一般に歩道）に面しており、ハンドホール１の上端に設置した鉄蓋座２で左右横長の長方形に画成されている。ハンドホール１の開口上面１ａは、ハンドホール用鉄蓋３で開閉自在に閉じられる。ハンドホール用鉄蓋３は、左右横長の長方形に形成されていて、鉄蓋座２に対して上方から着脱自在に落とし込み装着される。
【００２６】
図２において本案落下防止具は、左右横長の長方形に形成した格子枠５に、前後一対の金属製ベアリングバー６と、左右一対の金属製把手１０と、合計４個の金属製ストッパー７と、左右一対の滑り止め部材９とがそれぞれ取り付けられている。
【００２７】
格子枠５は、左右方向に走る多数の横バー５ａと、前後方向に走る多数の縦バー５ｂとが縦横に交絡するプラスチック成形品であり、具体的には耐荷重性に優れるＦＲＰ製とした。横バー５ａは、前後間にわたって等ピッチで１９本配し、縦バー５ｂは、左右間にわたって等ピッチで７本配した。かくして格子枠５は、左右長さが９０４mm、前後幅が４６４mmの外形寸法に設定した。
【００２８】
ハンドホール用鉄蓋３の荷重を受け止めるために、格子枠５の前後端に位置する横バー５ａ・５ａの外面には、金属製のベアリングバー６・６が取り付けられる。各ベアリングバー６は、図４に示すごとく左右方向に長い縦向きの縦板部６ａと、これの上端から左右方向にわたって水平に折り曲げ連出した水平板部６ｂとを含む左右横長で断面がＬ字形のステンレス板で形成されており、縦板部６ａが、横バー５ａのボルト挿通孔１１に通したボルト１２と、これに螺合するナット１３とで締結固定されている。このボルト止め状態において、各ベアリングバー６の水平板部６ｂが、格子枠５の上面よりも突出状態で位置している。
【００２９】
ハンドホール１の開口上面１ａにおいて格子枠５が左右方向（ハンドホール１の前後方向）へ位置ずれするのを規制するために、格子枠５の裏面には、中央部左右の４箇所に金属製のストッパー７がそれぞれ下向きに突出するよう取り付けられる。図３および図４において各ストッパー７は、前後方向に長い水平状の締結板部７ａと、これの左右の外端側から前後方向にわたって下向きに折り曲げ連出した係止板部７ｂとを含むＬ字形のステンレス板で形成した。
【００３０】
別に、格子枠５に対して各ストッパー７は、止め金具１５を介して取り付ける。そのためこの止め金具１５は、図４に示すごとくほぼＵ字形の本体部１５ａと、本体部１５ａの前後の上端から外側に向けて折り曲げ連出した係止部１５ｂ・１５ｂとを含む。格子枠５の前後に隣接する横バー５ａ・５ａ間に、止め金具１５を上方から落とし込み、これの係止部１５ｂ・１５ｂを該横バー５ａ・５ａの上端にそれぞれ掛け止めた状態において、Ｕ字形本体部１５ａの底と各ストッパー７の締結板部７ａとを止めボルト１６で締結する。すなわち、ストッパー７の締結板部７ａと、Ｕ字形本体部１５ａの平底部分とにボルト通孔１７・１９を設け、止めボルト１６を下方からボルト通孔１７・１９に通し、Ｕ字形本体部１５ａ内において止めボルト１６の挿通上端部にナット２０を螺合している。
【００３１】
ハンドホール１の開口上面１ａにおいて格子枠５が前後方向（ハンドホール１の左右方向）へ位置ずれするのを規制するために、格子枠５の裏面の左右端部には、図２および図３に示すごとく一対の滑り止め部材９・９を取り付ける。ここでの滑り止め部材９は、左右長さが１００mm、前後長さが３００mm、厚さが３mmのゴム板を用い、これを格子枠５の裏面に接着剤でそれぞれ固定した。滑り止め部材９の厚さは、１〜１０mmが有効で、３〜５mmにすることが更に好ましい。
【００３２】
各把手１０は、図２および図５に示すごとくステンレス製の金属棒材を折り曲げて手掛け部１０ａの前後端に脚部１０ｂ・１０ｂを有する門形に形成されており、前後の各脚部１０ｂの先端外周に雄ねじ２１が設けられている。この各把手１０は、格子枠５の左右端に位置する各縦バー５ｂの前後方向中央部位の外側に突出するよう締結する。すなわち、図５に示すごとく該当の縦バー５ｂにボルト挿通孔２２を明け、これに把手１０の各脚部１０ａを外側から挿通し、各脚部１０ｂの雄ねじ２１に縦バー５ｂを内外にはさむ状態でふたつのナット２３を螺合することにより、縦バー５ｂに把手１０を締結した。
【００３３】
かくして得た本案落下防止具は、総重量が約７kgとなった。これが使用に際しては、いまハンドホール用鉄蓋３が閉じられている状態から説明すると、図１において作業者は棒状ハンドルキーの下端を鉄蓋３に設けたキー孔２５に係入して回すことにより、ハンドルキーの下端をキー孔２５の下端周囲に抜け止め状に係止する。次に、ハンドルキーで鉄蓋３の左右の一端側を傾斜姿勢に持ち上げる。これで、鉄蓋座２すなわちハンドホール１の開口上面１ａとハンドホール用鉄蓋３との間に空間が生じるので、この空間を利用して格子枠５をこれがハンドホール１の開口上面１ａを前後間にわたって跨ぐように差し込む。
【００３４】
格子枠５の左右長は、ハンドホール１の開口上面１ａの前後幅寸法よりも十分に大きく設定してあるので、格子枠５の左右端部分（図１の使用状態で前後に位置する）は、図３に示すごとくハンドホール１まわりの路面２６上に受け止められる。各ベアリングバー６の左右端も、ハンドホール１の開口上面を前後方向に跨ぎ、前記路面２６および少なくとも鉄蓋座２の上面に受け止められる。
【００３５】
本案落下防止具を前述の要領で設置した状態において、両ストッパー７・７の係止板部７ｂは鉄蓋座２の前後の対向内縁にそれぞれ近接ないし受け止められ、ハンドホール１上において格子枠５が左右方向（ハンドホール１の前後方向）に位置ずれするのを接当規制する。同時に、両滑り止め部材９が路面２６に摩擦係合し、ハンドホール１上において格子枠５が前後方向（ハンドホール１の左右方向）に位置ずれするのも規制する。したがって、作業者が誤ってハンドホール用鉄蓋３を落下させても、これの下面が格子枠５で受け止め支持され、落下防止具ごとハんどホール１内に落ち込むことはない。その際、ベアリングバー６・６は、軽量化のためにプラスチック製とした格子枠５の足らざる強度を補い、ハンドホール用鉄蓋３の落下衝撃にも良く耐える。
【００３６】
本案落下防止具を前述の要領でセットした図１の状態において、作業者は、格子枠５上にハンドホール用鉄蓋３を載せて図１の右側方の手前側に引き摺り出す。または、ハンドホール用鉄蓋３の持ち上げた側を水平状に一方向へ回動してハンドホール１外に鉄蓋３を開けた状態にすることになる。いずれにせよ、この開き操作時に、ハンドホール用鉄蓋３の裏面は、格子枠５上に突出するベアリングバー６の水平板部６ｂ上にのみ部分的に直受けされているので、ハンドホール用鉄蓋３の摺り動かし作業が容易に行える。
【００３７】
ハンドホール１の開口上面１ａを閉じるときも、本案落下防止具は、開ける場合と逆の要領で用いる。この場合は、図１の状態から把手１０を手にして本案落下防止具をハンドホール１上から引き出したのち、ハンドホール用鉄蓋３を鉄蓋座２に落とし込み装着することになる。
【００３８】
（別実施態様例）  格子枠５の裏面左右に設けるべき各ストッパー７は、図示例のように前後に二分割せずに一本のものとしてもよい。ハンドホール１のなかには、図において前後方向に広幅になっていて、このハンドホール１の開口上面１ａに複数の格子枠５を並べて設置する形態があるが、本考案はかかる場合にも適用できる。その場合は、左右のストッパー７・７の少なくともひとつがハンドホール１上の他のハンドホール用鉄蓋３の前後一側縁に接当係止することになるであろう。
【図面の簡単な説明】
【００３９】
【図１】使用状態での斜視図
【図２】全体の底面図
【図３】ストッパーまわりの要部の縦断正面図
【図４】図３でのＡ−Ａ線断面図
【図５】把手まわりの要部の縦断正面図
【符号の説明】
【００４０】
１  ハンドホール
１ａ  ハンドホールの開口上面
２  鉄蓋座
３  ハンドホール用鉄蓋
５  格子枠
５ａ  格子枠の横バー
５ｂ  格子枠の縦バー
６  ベアリングバー
６ａ  ベアリングバーの縦板部
６ｂ  ベアリングバーの水平板部
７  ストッパー
７ａ  ストッパーの締結板部
７ｂ  ストッパーの係止板部
９  滑り止め部材
１０  把手
１０ａ  把手の手掛け部
１０ｂ  把手の脚部
１５  止め金具
１５ａ  止め金具のＵ字形本体部
１５ｂ  止め金具の係止部
１６  止めボルト
２１  雄ねじ
２２  ボルト挿通孔
２３  ナット
【図１】
0003105760.tif 000003
【図２】
0003105760.tif 000004
【図３】
0003105760.tif 000005
【図４】
0003105760.tif 000006
【図５】
0003105760.tif 000007